(57)【要約】【課題】  ＴＴＬ位相差方式のＡＦ検出装置を有するレンズ交換式カメラに中間アダプタを介して交換レンズを装着した際にも、高精度のＡＦが可能なレンズ交換式カメラ及びカメラシステムを提供する。【解決手段】  交換レンズ（１０）は、ＴＴＬ位相差式ＡＦ装置で検出された交換レンズのピントズレ量を補正するためのＡＦ補正用データを記憶する記憶手段（１６）を有し、記憶手段に記憶されているＡＦ補正用データは、交換レンズの光学特性によって決定される第１のＡＦ補正用データ（１６ａ）と、交換レンズと中間アダプタとを組み合わせた際の光学特性によって決定される第２のＡＦ補正用データ（１６ｂ）を含んでいるカメラシステムである。【選択図】    図１
2005062459.tif 000002
【特許請求の範囲】
【請求項１】
ＴＴＬ位相差ＡＦ装置を内蔵するカメラボディと、該カメラボディに着脱可能な交換レンズとを具備するカメラシステムにおいて、
上記カメラシステムは、上記交換レンズの焦点距離を変更可能な中間アダプタを、上記交換レンズと上記カメラボディの間に着脱自在であり、
上記交換レンズは、上記ＴＴＬ位相差式ＡＦ装置で検出された上記交換レンズのピントズレ量を補正するためのＡＦ補正用データを記憶する記憶手段を有し、
上記記憶手段に記憶されている上記ＡＦ補正用データは、上記交換レンズの光学特性によって決定される第１のＡＦ補正用データと、上記交換レンズと上記中間アダプタとを組み合わせた際の光学特性によって決定される第２のＡＦ補正用データを含んでいることを特徴とするカメラシステム。
【請求項２】
上記ＡＦ補正用データは、上記交換レンズの開放Ｆ値に対応する最良焦点位置と上記ＴＴＬ位相差ＡＦ装置の開口相当Ｆ値に対応する最良焦点位置との差を補正するためのデータであることを特徴とする請求項１に記載のカメラシステム。
【請求項３】
上記カメラボディは、上記記憶手段に記憶されている上記第１及び第２のＡＦ補正用データを読み出すデータ読出手段と、
上記中間アダプタが装着されているか否かに応じて上記第１または第２のＡＦ補正用データを択一的に選択して、上記ＴＴＬ位相差式ＡＦ装置で検出された上記交換レンズのピントズレ量を補正する補正演算手段と、
を具備していることを特徴とする請求項１に記載のカメラシステム。
【請求項４】
ＴＴＬ位相差ＡＦ装置を内蔵するカメラボディと、該カメラボディに着脱可能な交換レンズとを含み、さらに上記交換レンズと上記カメラボディの間に第１または第２の中間アダプタを装着可能なカメラシステムにおいて、
上記交換レンズの光学特性によって決定される第１のＡＦ補正用データと、上記交換レンズと上記第１の中間アダプタとを組み合わせた光学特性によって決定される第２のＡＦ補正用データとを記憶している第１の記憶手段と、
上記第２のＡＦ補正用データを補正するための補正データを記憶している第２の記憶手段と、
上記第１または第２のいずれの中間アダプタも装着されていない場合には上記第１のＡＦ補正用データを用いて上記ＴＴＬ位相差式ＡＦ装置の出力を補正し、上記第１の中間アダプタが装着されている場合には上記第２のＡＦ補正用データを用いて上記ＴＴＬ位相差式ＡＦ装置の出力を補正し、上記第２の中間アダプタが装着されている場合には、上記補正データによって補正された上記第２のＡＦ補正用データを用いて上記ＴＴＬ位相差式ＡＦ装置の出力を補正する補正手段と、
を具備していることを特徴とするカメラシステム。
【請求項５】
上記第１の記憶手段は上記交換レンズに設けられ、上記第２の記憶手段は上記第２の中間アダプタに設けられていることを特徴とする請求項４に記載のカメラシステム。
【請求項６】
ＴＴＬ位相差ＡＦ装置を内蔵するレンズ交換式カメラにおいて、
上記レンズ交換式カメラと交換レンズとの間に、上記交換レンズの焦点距離を変更可能な中間アダプタを着脱可能であり、
装着された交換レンズから、上記交換レンズの光学特性によって決定される第１のＡＦ補正用データと、上記交換レンズと上記中間アダプタとを組み合わせた光学特性によって決定される第２のＡＦ補正用データとを読み出す読出手段と、
上記中間アダプタが装着されているか否かを判定する判定手段と、
上記中間アダプタが装着されていない場合には上記第１のＡＦ補正用データを選択し、上記中間アダプタが装着されている場合には上記第２のＡＦ補正用データを選択して、上記ＴＴＬ位相差式ＡＦ装置の出力を補正する補正演算手段と、
を具備していることを特徴とするレンズ交換式カメラ。
【請求項７】
上記判定手段は上記中間アダプタが第１の種類の中間アダプタであるか、第２の種類の中間アダプタであるかを判定する手段を含み、
上記補正演算手段は上記第２の種類の中間アダプタであると判定された場合に、上記第２のＡＦ補正用データを上記交換レンズと上記第２の中間アダプタの組み合わせに適合するように変換してから上記補正演算を実行することを特徴とする請求項６に記載のレンズ交換式カメラ。
【発明の詳細な説明】
【技術分野】
【０００１】
本発明は、ＴＴＬ位相差方式のＡＦ検出装置を有するレンズ交換式カメラ及びカメラシステムに関し、より詳しくは撮影レンズの球面収差に応じてＡＦ補正する技術に関する。
【背景技術】
【０００２】
ＴＴＬ位相差ＡＦ装置を搭載するカメラにおいて、ＡＦ装置で検出した焦点情報に基づいて撮影レンズの焦点を調節しても、開放絞りで撮影した場合には画像がピンボケになることがある。これは、焦点検出のための開口相当Ｆ値に対する撮影レンズの球面収差特性と開放Ｆ値に対する球面収差特性が異なっているため、それぞれの最良像面位置に差が生ずるためである。
【０００３】
そこで、両方のＦ値における球面収差特性に応じた最良像面位置の補正量（以下、ＡＦ補正用データという。）を撮影レンズ内に記憶しておき、このＡＦ補正用データに基づいてＡＦ装置の出力を補正する技術が提案されている（例えば、特許文献１参照）。
【０００４】
ところで、レンズ交換式カメラでは、カメラと交換レンズの間に中間アダプタを装着して合焦点距離を変更することが可能である。この中間アダプタとしては、例えば、合焦点距離を長くするテレコンバータ等が知られている。
【０００５】
このような中間アダプタをカメラに装着した場合、中間アダプタの有している球面収差も交換レンズの球面収差と同様に焦点位置に影響する。従って、交換レンズと中間アダプタの両方に上述のＡＦ補正用データを記憶しておきそれらを合成してＡＦ装置の出力を補正する技術が提案されている（例えば、特許文献２参照）。
【特許文献１】特開昭５９−２０８５１４号公報
【特許文献２】特開平４−９３８２４号公報
【発明の開示】
【発明が解決しようとする課題】
【０００６】
しかしながら、特許文献２に記載の技術は、交換レンズと中間アダプタが個々に有するＡＦ補正用データを単純に合成するだけのものであるため、交換レンズと中間アダプタを組合わせた状態における最終的なＡＦ精度を考えると不十分である。即ち、より高精度のＡＦ性能を実現するためには、交換レンズと中間アダプタを組合せた状態で定まる光学特性に基づいてＡＦ補正用データを決定するのが望ましいと考えられる。
【０００７】
本発明は、かかる事情に鑑みてなされたものであって、ＴＴＬ位相差方式のＡＦ検出装置を有するレンズ交換式カメラに中間アダプタを介して交換レンズを装着した際にも、高精度のＡＦが可能なレンズ交換式カメラ及びカメラシステムを提供することを目的とする。
【課題を解決するための手段】
【０００８】
本発明に係る請求項１に記載のカメラシステムは、ＴＴＬ位相差ＡＦ装置を内蔵するカメラボディと、該カメラボディに着脱可能な交換レンズとを具備するカメラシステムにおいて、上記カメラシステムは、上記交換レンズの焦点距離を変更可能な中間アダプタを、上記交換レンズと上記カメラボディの間に着脱自在であり、上記交換レンズは、上記ＴＴＬ位相差式ＡＦ装置で検出された上記交換レンズのピントズレ量を補正するためのＡＦ補正用データを記憶する記憶手段を有し、上記記憶手段に記憶されている上記ＡＦ補正用データは、上記交換レンズの光学特性によって決定される第１のＡＦ補正用データと、上記交換レンズと上記中間アダプタとを組み合わせた際の光学特性によって決定される第２のＡＦ補正用データを含んでいる。
【０００９】
また本発明に係る請求項２に記載のカメラシステムは、上記記載の発明であるカメラシステムにおいて、上記ＡＦ補正用データは、上記交換レンズの開放Ｆ値に対応する最良焦点位置と上記ＴＴＬ位相差ＡＦ装置の開口相当Ｆ値に対応する最良焦点位置との差を補正するためのデータである。
【００１０】
また本発明に係る請求項３に記載のカメラシステムは、上記記載の発明であるカメラシステムにおいて、上記カメラボディは、上記記憶手段に記憶されている上記第１及び第２のＡＦ補正用データを読み出すデータ読出手段と、上記中間アダプタが装着されているか否かに応じて上記第１または第２のＡＦ補正用データを択一的に選択して、上記ＴＴＬ位相差式ＡＦ装置で検出された上記交換レンズのピントズレ量を補正する補正演算手段と、を具備している。
【００１１】
また本発明に係る請求項４に記載のカメラシステムは、ＴＴＬ位相差ＡＦ装置を内蔵するカメラボディと、該カメラボディに着脱可能な交換レンズとを含み、さらに上記交換レンズと上記カメラボディの間に第１または第２の中間アダプタを装着可能なカメラシステムにおいて、上記交換レンズの光学特性によって決定される第１のＡＦ補正用データと、上記交換レンズと上記第１の中間アダプタとを組み合わせた光学特性によって決定される第２のＡＦ補正用データとを記憶している第１の記憶手段と、上記第２のＡＦ補正用データを補正するための補正データを記憶している第２の記憶手段と、上記第１または第２のいずれの中間アダプタも装着されていない場合には上記第１のＡＦ補正用データを用いて上記ＴＴＬ位相差式ＡＦ装置の出力を補正し、上記第１の中間アダプタが装着されている場合には上記第２のＡＦ補正用データを用いて上記ＴＴＬ位相差式ＡＦ装置の出力を補正し、上記第２の中間アダプタが装着されている場合には、上記補正データによって補正された上記第２のＡＦ補正用データを用いて上記ＴＴＬ位相差式ＡＦ装置の出力を補正する補正手段と、を具備している。
【００１２】
また本発明に係る請求項５に記載のカメラシステムは、上記記載の発明であるカメラシステムにおいて、上記第１の記憶手段は上記交換レンズに設けられ、上記第２の記憶手段は上記第２の中間アダプタに設けられている。
【００１３】
また本発明に係る請求項６に記載のレンズ交換式カメラは、ＴＴＬ位相差ＡＦ装置を内蔵するレンズ交換式カメラにおいて、上記レンズ交換式カメラと交換レンズとの間に、上記交換レンズの焦点距離を変更可能な中間アダプタを着脱可能であり、装着された交換レンズから、上記交換レンズの光学特性によって決定される第１のＡＦ補正用データと、上記交換レンズと上記中間アダプタとを組み合わせた光学特性によって決定される第２のＡＦ補正用データとを読み出す読出手段と、上記中間アダプタが装着されているか否かを判定する判定手段と、上記中間アダプタが装着されていない場合には上記第１のＡＦ補正用データを選択し、上記中間アダプタが装着されている場合には上記第２のＡＦ補正用データを選択して、上記ＴＴＬ位相差式ＡＦ装置の出力を補正する補正演算手段と、を具備している。
【００１４】
また本発明に係る請求項７に記載のカメラシステムは、上記記載の発明であるカメラシステムにおいて、上記判定手段は上記中間アダプタが第１の種類の中間アダプタであるか、第２の種類の中間アダプタであるかを判定する手段を含み、上記補正演算手段は上記第２の種類の中間アダプタであると判定された場合に、上記第２のＡＦ補正用データを上記交換レンズと上記第２の中間アダプタの組み合わせに適合するように変換してから上記補正演算を実行する。
【発明の効果】
【００１５】
本発明のカメラシステムを用いれば、ＴＴＬ位相差方式のＡＦ検出装置を有するレンズ交換式カメラに中間アダプタを介して交換レンズを装着した際にも、高精度のＡＦが可能となる。
【発明を実施するための最良の形態】
【００１６】
［カメラシステムの構成及び動作］
図１は、カメラシステムの標準的な構成を示すブロック図である。
【００１７】
カメラシステムは、交換レンズユニット１０、中間アダプタ２０及びカメラボディユニット３０を備えている。そして、交換レンズユニット１０、中間アダプタ２０及びカメラボディユニット３０は、マウント機構（不図示）により互いに着脱可能に構成されている。
【００１８】
交換レンズユニット１０は、撮影レンズ１１ａ、１１ｂ、絞り１２、レンズ駆動機構１３、絞り駆動機構１４、レンズＣＰＵ１５及びデータ記憶部１６を備えている。
【００１９】
レンズＣＰＵ１５は、交換レンズユニット１０を統括的に制御する。即ち、レンズ駆動機構１３に制御信号を出力して、合焦動作のために撮影レンズ１１ａ、１１ｂの位置を前後に移動する。また、絞り駆動機構１４に制御信号を出力して露出制御のために絞り１２の絞り込み位置を変更する。更にレンズＣＰＵ１５は、カメラボディユニット３０との信号授受により種々の情報を受信する。
【００２０】
データ記憶部１６は、レンズ固有の情報（例えば、レンズ焦点距離、開放Ｆ値、ＡＦ補正用データ等）を記憶する。
【００２１】
中間アダプタ２０は、テレコンレンズ２１、アダプタＣＰＵ２２及びアダプタ記憶部２３を備えている。
【００２２】
テレコンレンズ２１は、交換レンズユニット１０の焦点距離を変更する。このテレコンレンズ２１によりレンズの倍率を例えば２倍に拡大することができる。
【００２３】
アダプタ記憶部２３は、中間アダプタ固有の情報（例えば、レンズ種類、ＡＦ補正用データ等）を記憶する。アダプタＣＰＵ２２は、カメラボディユニット３０との間で信号授受を行って、ＡＦ補正のための中間アダプタ固有の情報を送信する。
【００２４】
カメラボディユニット３０には、クイックリターンミラー３２、シャッタ３３、撮像素子３４、画像処理回路３５、カメラＣＰＵ３６、画像モニタ３７、画像メモリ３８、カメラ記憶部４０、ペンタプリズム４１、測光回路４２、ＡＦレンズ４３、サブミラー４４、ＡＦセンサ４５、測距部４６、シャッタ駆動機構４７及びミラー駆動機構４８が設けられている。
【００２５】
クイックリターンミラー３２はその中央部がハーフミラーとなっており、非撮影動作時において被写体像をペンタプリズム４１とＡＦセンサ４５に導く。撮像素子３４は、例えばＣＣＤを用いて被写体の光像を電気信号である画像データに変換する。カメラＣＰＵ３６は、カメラシステムの動作を統括的に制御すると共に、画像処理回路３５を制御して画像データに種々の画像処理を施す。カメラ記憶部４０には、カメラＣＰＵ３６の動作に必要な情報が格納されている。
【００２６】
また、カメラＣＰＵ３６は、交換レンズユニット１０内のレンズＣＰＵ１５、中間アダプタ２０内のアダプタＣＰＵ２２との通信により撮影レンズ１１ａ、１１ｂのレンズ特性情報、ＡＦ補正のための中間アダプタ固有の情報を獲得する。
【００２７】
情報授受のための信号ラインには「ＡＳＥＬ」、「ＬＳＥＬ」、「ＤＡＴＡ」、「ＣＯＮＴ」が設けられている。「ＡＳＥＬ」は、中間アダプタ２０との情報通信を選択するラインである。「ＬＳＥＬ」は、交換レンズユニット１０との情報通信を選択するラインである。「ＤＡＴＡ」は、レンズ固有情報等を通信するための共通ラインである。「ＣＯＮＴ」は、制御命令（例えば、レンズ情報要求、絞り駆動指令等）を通信するためのコントロール信号ラインである。
【００２８】
画像モニタ３７は、液晶モニタなどであり画像データを表示する。画像メモリ３８は、スマートメディア（登録商標）などの記録媒体である画像データを記録する。
【００２９】
測光回路４２は、ペンタプリズム４１からの被写体光像の一部を光電変換素子（不図示）によって受光して被写体の輝度を測定する。カメラＣＰＵ３６はこの測定データに基づいて露出条件を算出する。ＡＦセンサ４５は、サブミラー４４によって２つに分割された被写体像をＡＦレンズ４３を介して受光する。測距部４６は、ＡＦセンサ４５の出力に基づいて合焦のためのレンズ駆動量を算出する。このＡＦ測距機構は、いわゆるＴＴＬ位相差方式によるもので焦点検出に用いられる光束は、撮影レンズの絞りをＦ８程度に絞った場合に相当する光束である。
【００３０】
続いて、カメラシステムの動作について説明する。
【００３１】
撮影者が、カメラボディユニット３０のレリーズボタン（不図示）を一段階押し込むと、カメラＣＰＵ３６は、測光回路４２で測定した被写体輝度のデータに基づいて適正な露出を得るための絞り値を計算し、その結果をレンズＣＰＵ１５に送信する。レンズＣＰＵ１５は、所望の絞りになるように絞り駆動機構１４に信号を出力する。
【００３２】
また、カメラＣＰＵ３６は、測距部４６の検出結果と、予め受信した交換レンズユニット１０のレンズ情報、中間アダプタ２０のレンズ情報に基づいて、合焦のための撮影レンズ１１ａ、１１ｂの駆動量を算出してレンズＣＰＵ１５に送信する。レンズＣＰＵ１５は、この駆動量に基づいて、撮影レンズ１１ａ、１１ｂを合焦位置に移動させるための制御信号をレンズ駆動機構１３に出力する。
【００３３】
撮影者が、カメラボディユニット３０のレリーズボタン（不図示）を二段階押し込むと、カメラＣＰＵ３６はクイックリターンミラー３２を撮影光路外に退避させた後にシャッタ３３を動作させて被写体の光像を撮像素子３４に導き、撮像素子３４から得られる画像データに画像処理を施す。この際、カメラＣＰＵ３６は、予め受信した交換レンズユニット１０のレンズ情報、中間アダプタ２０のレンズ情報に基づいて、色補正等の処理を施す。
【００３４】
［カメラシステムの構成のバリエーション］
本発明に係るカメラシステムは、図１に示す構成（上述の交換レンズユニット１０、中間アダプタ２０及びカメラボディユニット３０を含む構成）を含んで、以下に示す３つのバリエーションとして構成することができる。
【００３５】
図２は、本発明に係るカメラシステムの第１のバリエーションの構成を示す図である。第１のバリエーションでは、カメラシステムは交換レンズユニット１０及びカメラボディユニット３０で構成される。
【００３６】
データ記憶部１６には、ＡＦ補正データとして、中間アダプタ２０がない場合のＡＦ補正用データ（ΔＡＦＤ０）１６ａと、中間アダプタ２０が有る場合のＡＦ補正用データ（ΔＡＦＤ１）１６ｂが格納されている。
【００３７】
そして、カメラＣＰＵ３６は、測距部４６からの例えば、ＴＴＬ位相差方式による測距出力（ＡＦＤ）に対してＡＦ補正データを用いて補正し、撮影レンズの焦点調節駆動量を、レンズＣＰＵ１５に送信する。
【００３８】
図３は、本発明に係るカメラシステムの第２のバリエーションの構成を示す図である。第２のバリエーションでは、カメラシステムは交換レンズユニット１０、Ａ型中間アダプタ２０ａ及びカメラボディユニット３０で構成される。ここで、Ａ型中間アダプタ２０ａは、中間アダプタの初期バージョンを意味する。
【００３９】
データ記憶部１６には、ＡＦ補正データとして、中間アダプタ２０がない場合のＡＦ補正用データ（ΔＡＦＤ０）１６ａと、Ａ型中間アダプタ２０ａが有る場合のＡＦ補正用データ（ΔＡＦＤ１）１６ｂが格納されている。Ａ型中間アダプタ２０ａには、アダプタＣＰＵ２２が設けられているが、アダプタ記憶部２３は特に設ける必要は無い。もし設けられていてもＡＦ補正に関するデータは記憶されていない。
【００４０】
そして、カメラＣＰＵ３６は、測距部４６からの例えば、ＴＴＬ位相差方式による測距出力（ＡＦＤ）に対してＡＦ補正データを用いて補正し、撮影レンズの焦点調節駆動量を、レンズＣＰＵ１５に送信する。
【００４１】
図４は、本発明に係るカメラシステムの第３のバリエーションの構成を示す図である。第３のバリエーションでは、カメラシステムは交換レンズユニット１０、Ｂ型中間アダプタ２０ｂ及びカメラボディユニット３０で構成される。ここで、Ｂ型中間アダプタ２０ｂは、Ａ型中間アダプタ２０ａを改良したバージョンアップ製品を意味する。
【００４２】
データ記憶部１６には、ＡＦ補正データとして、中間アダプタ２０がない場合のＡＦ補正用データ（ΔＡＦＤ０）１６ａと、Ａ型中間アダプタ２０ａが有る場合のＡＦ補正用データ（ΔＡＦＤ１）１６ｂが格納されている。Ｂ型中間アダプタ２０ｂには、アダプタＣＰＵ２２と共にアダプタ記憶部２３が設けられており、Ａ型中間アダプタ２０ａ用のＡＦ補正用データをＢ型中間アダプタ２０ｂ用のＡＦ補正用データに変換するための補正係数αが記憶されている。
【００４３】
そして、カメラＣＰＵ３６は、測距部４６からの例えば、ＴＴＬ位相差方式による測距出力（ＡＦＤ）に対してこれらのＡＦ補正データを用いて補正し、撮影レンズの焦点調節駆動量を、レンズＣＰＵ１５に送信する。
【００４４】
［カメラシステムのＡＦ補正動作］
カメラシステムのＡＦ補正に係る動作には、大きく分けて次の２つがある。
【００４５】
(1)カメラボディユニット３０内のカメラＣＰＵ３６が、交換レンズユニット１０、中間アダプタ２０からレンズ情報を獲得する動作。
【００４６】
(2)カメラボディユニット３０内のカメラＣＰＵ３６が、合焦のための焦点ずれ補正量を計算する動作。
【００４７】
以下、これらの動作について説明する。尚、カメラＣＰＵ３６には、上述の３つの構成のバリエーションに対応できる処理機能を備えている。
【００４８】
図５は、カメラＣＰＵ３６が、レンズ情報を獲得する手順を示す概略のフロー図である。このフローは、カメラボディユニット３０の電源がＯＮされたとき、または交換レンズユニット１０、中間アダプタ２０が装着されたときに開始する。
【００４９】
カメラＣＰＵ３６は、交換レンズユニット１０からレンズ情報を受取るために、レンズ選択信号を出力する。即ち、「ＬＳＥＬ」ラインの信号レベルをＬｏｗからＨｉｇｈに変化させる（Ｓ０１）。そして、交換レンズユニット１０からの応答の有無をチェックする（Ｓ０２）。通信が可能な状態にあれば、レンズＣＰＵ１５は、通信可能（ｒｅａｄｙ）状態にある旨の応答信号を返信する。
【００５０】
交換レンズユニット１０からの応答が無い場合（Ｓ０２  Ｎｏ）、カメラＣＰＵ３６は、処理を終了する。
【００５１】
交換レンズユニット１０からの応答が有る場合（Ｓ０２  Ｙｅｓ）、カメラＣＰＵ３６は、レンズ情報を要求する（Ｓ０３）。即ち、「ＣＯＮＴ」ラインにレンズ情報要求命令を設定する。この要求信号に対応して、レンズＣＰＵ１５はデータ記憶部１６を検索してレンズ情報を抽出し、カメラＣＰＵに送信する。
【００５２】
送信されるレンズ情報は、例えば、レンズ種類、開放ＦＮｏ、ＡＦ補正データ（ΔＡＦＤ０、ΔＡＦＤ１）等である。カメラＣＰＵ３６は、これらの送信されるレンズ情報を読み込み、カメラ記憶部４０に記憶する（Ｓ０４）。
【００５３】
続いて、カメラＣＰＵ３６は、中間アダプタ２０からアダプタ情報を受取るために、アダプタ選択信号を出力する。即ち、「ＡＳＥＬ」ラインの信号レベルをＬｏｗからＨｉｇｈに変化させる（Ｓ０５）。そして、中間アダプタ２０からの応答の有無をチェックする（Ｓ０６）。通信が可能な状態にあれば、アダプタＣＰＵ２２は、通信可能（ｒｅａｄｙ）状態にある旨の応答信号を返信する。
【００５４】
中間アダプタ２０からの応答が無い場合（Ｓ０６  Ｎｏ）、カメラシステムは図２に示す構成であり、カメラＣＰＵ３６は、処理を終了する。
【００５５】
中間アダプタ２０からの応答が有る場合（Ｓ０６  Ｙｅｓ）、カメラＣＰＵ３６は、その応答をチェックして中間アダプタ種類を判別する（Ｓ０７）。そして、カメラＣＰＵ３６は、中間アダプタ種類がＢ型中間アダプタかどうかを調べる（Ｓ０８）。
【００５６】
Ｂ型中間アダプタでない場合（Ｓ０８  Ｎｏ）、即ち、Ａ型中間アダプタの場合は、カメラシステムは図３に示す構成であり、カメラＣＰＵ３６は、既にレンズ補正データ（ΔＡＦＤ１）を獲得しているため、処理を終了する。
【００５７】
Ｂ型中間アダプタである場合（Ｓ０８  Ｙｅｓ）、カメラシステムは図４に示す構成であり、カメラＣＰＵ３６は、アダプタ情報を要求する。即ち、「ＣＯＮＴ」ラインにアダプタ情報要求命令を設定する。この要求信号に対応して、アダプタＣＰＵ２２はアダプタ記憶部２３を検索してアダプタ情報を抽出し、カメラＣＰＵ３６に送信する。
【００５８】
送信されるアダプタ情報は、例えば、上述の補正係数α等である。カメラＣＰＵ３６は、これらの送信されたアダプタ情報を読み込み、カメラ記憶部４０に記憶する（Ｓ０９）。
【００５９】
以上の手順により、カメラＣＰＵ３６は、上述のそれぞれの構成のバリエーションに対応したＡＦ補正データを獲得し、そのデータをカメラ記憶部４０に記憶する。
【００６０】
図６は、カメラＣＰＵ３６が、合焦のための焦点ずれ量の補正演算を行う手順を示す概略のフロー図である。このフローは、撮影者がカメラボディユニット３０のレリーズボタン（不図示）を押下したときに実行される撮影準備のためのＡＦ動作を表わしている。
【００６１】
カメラＣＰＵ３６は、ＡＦセンサ４５に対して動作を開始させる指示を出力する（Ｓ１１）。そして、ＡＦセンサ４５から焦点ずれ量（センサ上のずれピッチ数）を取り込む（Ｓ１２）。測距部４６は、このずれピッチ数から撮影レンズ１１ａ、１１ｂの焦点ずれ量（ＡＦＤ）を演算する（Ｓ１３）。
【００６２】
次に、カメラＣＰＵ３６は、中間アダプタ２０が接続されているかどうかを調べる（Ｓ１４）。
【００６３】
中間アダプタ２０が接続されていない場合（Ｓ１４  Ｎｏ）、カメラシステムは図２に示す構成であり、カメラＣＰＵ３６は、測距部４６からの焦点ずれ量（ＡＦＤ）に対して、中間アダプタ２０がない場合のＡＦ補正用データ（ΔＡＦＤ０）１６ａを加算して補正焦点ずれ量（ＡＦＤ’）を算出する（Ｓ１５）。
【００６４】
中間アダプタ２０が接続されている場合（Ｓ１４  Ｙｅｓ）、カメラＣＰＵ３６は、中間アダプタ２０がある場合のＡＦ補正用データ（ΔＡＦＤ１）１６ｂをカメラ記憶部４０から抽出する（Ｓ１６）。
【００６５】
またカメラＣＰＵ３６は、カメラ記憶部４０を検索して中間アダプタ種類を判別し、その中間アダプタ種類がＢ型中間アダプタかどうかを調べる（Ｓ１７）。
【００６６】
Ｂ型中間アダプタでない場合（Ｓ１７  Ｎｏ）、即ち、Ａ型中間アダプタの場合は、カメラシステムは図３に示す構成であり、カメラＣＰＵ３６は、既にＡＦ補正用データ（ΔＡＦＤ１）１６ｂを獲得している。そこで、カメラＣＰＵ３６は、測距部４６からの焦点ずれ量（ＡＦＤ）に対して、中間アダプタ２０がある場合のＡＦ補正用データ（ΔＡＦＤ１）１６ｂを加算して補正焦点ずれ量（ＡＦＤ’）を算出する（Ｓ１８）。
【００６７】
Ｂ型中間アダプタである場合（Ｓ１７  Ｙｅｓ）、カメラシステムは図４に示す構成であり、カメラＣＰＵ３６は、カメラ記憶部４０より補正係数αを抽出する（Ｓ１９）。そして、カメラＣＰＵ３６は、測距部４６からの焦点ずれ量（ＡＦＤ）に対して、中間アダプタ２０がある場合のＡＦ補正用データ（ΔＡＦＤ１）１６ｂに補正係数αを乗じた値を加算して補正焦点ずれ量（ＡＦＤ’）を算出する（Ｓ２０）。
【００６８】
そして、カメラＣＰＵ３６は、上述の手順で算出した補正焦点ずれ量（ＡＦＤ’）をレンズＣＰＵ１５に送信し、レンズＣＰＵ１５は、この値に基づいて撮影レンズ１１ａ、１１ｂを移動して合焦動作を行う。
【００６９】
尚、ステップＳ２０において、ＡＦ補正用データ（ΔＡＦＤ１）１６ｂに補正係数αを乗じて補正焦点ずれ量（ＡＦＤ’）を算出しているが、この形態に限定されず、ＡＦ補正用データ（ΔＡＦＤ１）１６ｂに補正係数αを加算（減算）するようにしても良く、またＡＦ補正用データ（ΔＡＦＤ１）１６ｂと補正係数αをパラメータとする関数を用いて補正焦点ずれ量（ＡＦＤ’）を算出するように構成しても良い。
【００７０】
更に、カメラＣＰＵ３６は、ＡＦ補正用データ（ΔＡＦＤ１）１６ｂと補正係数αを交換レンズユニット１０、中間アダプタ２０から獲得しているが、カメラＣＰＵ３６が外部装置（例えば、サーバ）から通信手段により当該情報を受信して、ＡＦ補正動作を行うように構成しても良い。
【００７１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７２】
【図１】カメラシステムの構成を示すブロック図。
【図２】本発明に係るカメラシステムの第１のバリエーションの構成を示す図。
【図３】本発明に係るカメラシステムの第２のバリエーションの構成を示す図。
【図４】本発明に係るカメラシステムの第３のバリエーションの構成を示す図。
【図５】カメラＣＰＵが、レンズ情報を獲得する手順を示す概略のフロー図。
【図６】カメラＣＰＵが、合焦のための焦点ずれ補正量を計算する手順を示す概略のフロー図。
【符号の説明】
【００７３】
１０…交換レンズユニット、１１ａ…撮影レンズ、１１ｂ…撮影レンズ、１２…絞り、１５…レンズＣＰＵ、１６…データ記憶部、１６ａ…ＡＦ補正用データ、１６ｂ…ＡＦ補正用データ、２０…中間アダプタ、２０ａ…Ａ型中間アダプタ、２０ｂ…Ｂ型中間アダプタ、２２…アダプタＣＰＵ、２３…アダプタ記憶部、３０…カメラボディユニット、３６…カメラＣＰＵ、４０…カメラ記憶部、４３…ＡＦレンズ、４４…サブミラー、４５…ＡＦセンサ、４６…測距部。
【図１】
2005062459.tif 000003
【図２】
2005062459.tif 000004
【図３】
2005062459.tif 000005
【図４】
2005062459.tif 000006
【図５】
2005062459.tif 000007
【図６】
2005062459.tif 000008